(57)【特許請求の範囲】
【請求項１】
出入口に設けられたドアロックを解錠するシステムであって、
ドアの外方に配置され、指紋入力部に入力される指紋データを検出する指紋検出部と、
あらかじめ複数の指紋データが、当該各指紋データに比べてデータ量がはるかに少ない識別コードによってそれぞれ識別可能に登録される指紋登録部と、
前記指紋検出部が検出した指紋データを、前記指紋登録部に前記識別コードとともに登録してある登録指紋データと照合する指紋照合部と、
前記指紋照合部が前記検出指紋データと前記登録指紋データのいずれか１つとの一致を確認したとき、解錠信号を出力してドアロックを解錠する錠前制御部と、
ドアロックの解錠履歴を遡って検索できるように、前記指紋照合部が前記一致を確認したとき、当該一致した１つの登録指紋データの前記識別コードを保存する解錠履歴記憶部と、
を備えていることを特徴とする出入口の解錠システム。
【請求項２】
前記指紋入力部および前記指紋検出部を備えた操作ユニットは、ドアの外側に取り付けられ、前記指紋登録部、前記指紋照合部、前記錠前制御部および前記解錠履歴記憶部を備えた制御ユニットは、ドアの内側に取り付けられることを特徴とする請求項１記載の出入口の解錠システム。
【請求項３】
前記制御ユニットは、指紋データの登録／削除動作モードに切り換えられたとき、前記指紋検出部が検出した指紋データを、識別コードとともに前記指紋登録部に登録することを特徴とする請求項２記載の出入口の解錠システム。
【請求項４】
前記制御ユニットは、前記解錠履歴記憶部に記憶した前記識別コードを検索する解錠履歴検索部と、前記解錠履歴検索部が検索した前記識別コードを表示する表示部と、をさらに備えていることを特徴とする請求項２または請求項３記載の出入口の解錠システム。
【発明の詳細な説明】
【０００１】
【発明の属する技術分野】
この発明は、例えば建物の出入口に適用される出入口の解錠方法と、出入口の解錠システムに関するものである。
【０００２】
【従来の技術】
一般に、建物の出入口にあるドアロックを解錠するには、戸建住宅であれ、マンション等の集合住宅であれ、鍵を使用するのが普通であり、また、建物内の各部の出入口にあるドアロックを解錠するにも、一般に鍵が使用されている。
【０００３】
【発明が解決しようとする課題】
しかしながら、このような従来使用されている鍵は、紛失しやすいうえ、簡単にコピーできるため、いつでもどこでも身に付けていない限り、本人が知らない間にコピーされて不正使用される可能性を否定することができない。すなわち、鍵を使ってドアロックが解錠されたとしても、それが本人によるものであるのか、あるいは、コピーされた鍵の不正使用によるものであるのか、不明であるという問題があった。
【０００４】
この発明の課題は、上記従来のもののもつ問題点を排除して、出入口に設けられたドアロックを解錠するのに、従来のようなコピーされる虞のある鍵を使用せず、本人でなければ解錠することができなくて、そのうえ、限られたメモリ容量にドアロックの解錠履歴を大量に保存することのできる出入口の解錠方法および出入口の解錠システムを提供することにある。
【０００５】
【課題を解決するための手段】
この発明は上記課題を解決するものであって、請求項１に係る発明は、出入口に設けられたドアロックを解錠するシステムであって、ドアの外方に配置され、指紋入力部に入力される指紋データを検出する指紋検出部と、あらかじめ複数の指紋データが、当該各指紋データに比べてデータ量がはるかに少ない識別コードによってそれぞれ識別可能に登録される指紋登録部と、前記指紋検出部が検出した指紋データを、前記指紋登録部に前記識別コードとともに登録してある登録指紋データと照合する指紋照合部と、前記指紋照合部が前記検出指紋データと前記登録指紋データのいずれか１つとの一致を確認したとき、解錠信号を出力してドアロックを解錠する錠前制御部と、ドアロックの解錠履歴を遡って検索できるように、前記指紋照合部が前記一致を確認したとき、当該一致した１つの登録指紋データの前記識別コードを保存する解錠履歴記憶部と、を備えている出入口の解錠システムである。
【０００６】
請求項２に係る発明は、請求項１記載の発明において、前記指紋入力部および前記指紋検出部を備えた操作ユニットは、ドアの外側に取り付けられ、前記指紋登録部、前記指紋照合部、前記錠前制御部および前記解錠履歴記憶部を備えた制御ユニットは、ドアの内側に取り付けられる出入口の解錠システムである。
【０００７】
請求項３に係る発明は、請求項２記載の発明において、前記制御ユニットは、指紋データの登録／削除動作モードに切り換えられたとき、前記指紋検出部が検出した指紋データを、識別コードとともに前記指紋登録部に登録する出入口の解錠システムである。
【０００８】
請求項４に係る発明は、請求項２または請求項３記載の発明において、前記制御ユニットは、前記解錠履歴記憶部に記憶した前記識別コードを検索する解錠履歴検索部と、前記解錠履歴検索部が検索した前記識別コードを表示する表示部と、をさらに備えている出入口の解錠システムである。
【００１０】
【発明の実施の形態】
この発明の実施の形態を、図面を参照して説明する。
図１は、この発明による出入口の解錠システムの一実施の形態を示す構成図であり、この出入口の解錠システム１は、建物の出入口１０に設けられたドア１１の外側１２に取り付けられる操作ユニット２０と、ドア１１の内側１３に取り付けられる制御ユニット３０と、ドア１１の内側１３に操作ノブ４１を備えた錠前ユニット４０とで構成されている。１５はドア１１の両側に取り付けられたドアハンドルである。
【００１１】
図２は、出入口の解錠システム１のブロック図であり、操作ユニット２０は、指紋入力部２１、指紋検出部（指紋センサ）２２および施錠スイッチ２３を備え、また、制御ユニット３０は、指紋登録部３１、指紋照合部３２、錠前制御部３３、解錠履歴記憶部３４、解錠履歴検索部３５および表示部３６を備えている。また、図示してないが、操作ユニット２０の各部、制御ユニット３０の各部、および錠前ユニット４０には、電池または適宜のＤＣ電源から必要な電力が供給されるようになっている。
【００１２】
図３に示すように、操作ユニット２０は、カバー２４を開けると、指紋入力部２１の指紋入力面２５が現れるようになっている。そして、指紋入力面２５に指を乗せて軽く押すと指紋入力部２１のスイッチが入り、入力された指紋データを指紋検出部（指紋センサ）２２が検出すると、検出した指紋データを制御ユニット３０の指紋照合部３２に伝えるようになっている。
【００１３】
また、操作ユニット２０は、施錠スイッチ２３が押されると、施錠信号を錠前ユニット４０に伝えるようになっていて、それにより、解錠状態にある場合は錠前ユニット４０が電動で施錠するようになっている。
【００１４】
制御ユニット３０は、通常の状態では、指紋データ入力による解錠動作モードにあるが、適宜の操作によって、指紋データの登録／削除動作モードに切り換えられるようになっている。すなわち、指紋データの登録／削除動作モードの場合、操作ユニット２０で検出した指紋データが指紋検出部（指紋センサ）２２から指紋登録部３１に伝えられると、その指紋データを識別コードとともに指紋登録部３１に登録し、また、任意の識別コードが指定されて削除の操作がなされると、その識別コードに対応した指紋データを識別コードとともに削除するようになっている。
【００１５】
また、制御ユニット３０は、通常の指紋データ入力による解錠動作モードにあるとき、操作ユニット２０で検出した指紋データが指紋検出部（指紋センサ）２２から指紋照合部３２に伝えられると、その指紋データを、指紋登録部３１にあらかじめ登録してある指紋データと照合し、登録指紋データが複数ある場合は１つずつ順番に照合する。そして、検出指紋データが登録指紋データ（のいずれか１つ）と一致すると、指紋照合部３２が一致信号を錠前制御部３３に伝え、それにより、錠前制御部３３が解錠信号を錠前ユニット４０に伝えて、電動で解錠させるようになっている。
【００１６】
また、制御ユニット３０は、検出指紋データが登録指紋データ（のいずれか１つ）と一致したとき、指紋照合部３２が、その一致した登録指紋データの識別コードを解錠履歴記憶部３４に伝えて記憶させるようになっている。
【００１７】
ここで、指紋登録部３１に指紋データとともに識別コードを登録しておく理由は、解錠履歴記憶部３４のメモリ容量をいたずらに増やすことなく、大量の解錠履歴を保存しておくためである。すなわち、指紋データは一般にデータ量が比較的多いのに対し、例えば番号（１０進符号）等の適宜の識別コードは、指紋データに比べてデータ量がはるかに少ない。そのため、例えば、識別コードを用いずに指紋データを１０種類登録しておき、１００回、１０００回の解錠履歴をすべて指紋データで保存する場合、解錠履歴記憶部３４のメモリ容量は、指紋登録部３１のメモリ容量の１０倍、１００倍必要となる。
【００１８】
これに対し、１０種類の指紋データをその識別コードとともに登録しておくには、指紋登録部３１のメモリ容量をわずかに増やさなければならないが、１００回、１０００回の解錠履歴をすべて識別コードで保存するのに必要な解錠履歴記憶部３４のメモリ容量は、指紋登録部３１のメモリ容量に比べてずっと少なくて済む。そのため、解錠履歴記憶部３４として限られたメモリ容量のものを用いても、１００回、１０００回に上る大量の解錠履歴を保存しておくことが可能である。
【００１９】
そして、解錠履歴記憶部３４に記憶した識別コードは、解錠履歴検索部３５により検索することで表示部３６に表示されるため、例えば、時期を特定して解錠履歴検索部３５により検索することで、特定の時期に解錠したのが誰の指紋データであったのかを、過去に遡って確認することができるようになっている。そのため、大勢の人が１日に何回もドアロックを解錠するような出入口１０に適用する解錠システムとして、好適なものである。
【００２０】
さらに、錠前ユニット４０は、ドア１１の内側１３からは、操作ノブ４１を回すことで施錠／解錠することができるようになっている。
【００２１】
次に、上記の実施の形態の作用について、図４に示すフローチャートを用いて説明する。
【００２２】
ドア１１の外側１２にいてドアロックを解錠する場合、まず、操作ユニット２０のカバー２４を開け、指紋入力面２５に指を乗せて指紋データを入力すると、指紋入力部２１に入力された指紋データを指紋検出部（指紋センサ）２２が検出する（ステップＳ１）。
【００２３】
すると、検出した指紋データが指紋検出部（指紋センサ）２２から制御ユニット３０の指紋照合部３２に伝えられて、指紋照合部３２がその指紋データを、指紋登録部３１にあらかじめ登録してある指紋データと照合する（ステップＳ２）。
【００２４】
検出指紋データが登録指紋データ（のいずれか１つ）と一致すると（ステップＳ３のＹＥＳ）、錠前制御部３３から解錠信号を受けて、錠前ユニット４０がドアロックを電動で解錠させる（ステップＳ４）。このとき、例えば適宜のブザー音が鳴ることで、解錠したことを知らせることが好ましい。
【００２５】
一方、検出指紋データが登録指紋データと一致しない場合は（ステップＳ３のＮＯ）、設定回数（例えば３回）まで指紋データの再入力を行わせる（ステップＳ５）。このとき、例えば適宜の警報ブザー音が鳴ることで、指紋データを再入力すべきことを知らせることが好ましい。
【００２６】
また、錠前ユニット４０がドアロックを電動で解錠させたとき（ステップＳ４）、同時に、指紋照合部３２が、一致した登録指紋データの識別コードを解錠履歴記憶部３４に伝えて記憶させる（ステップＳ６）。そのため、解錠履歴記憶部３４に記憶した識別コードを、例えば、時期を特定して解錠履歴検索部３５により検索することで、特定の時期に解錠したのが誰の指紋データであったのかを、過去に遡って確認することができる。そのため、大勢の人が１日に何回もドアロックを解錠するような出入口１０に適している。
【００２７】
なお、上記の実施の形態では、建物の出入口１０に設けられたドア１１を対象として説明したが、これに限定するものでなく、例えば、建物内の各部の出入口に設けられたドアまたは類似の構造物を対象とすることも可能である。
【００２８】
【発明の効果】
この発明は以上のように、出入口に設けられたドアの外方に配置され、指紋入力部に入力される指紋データを検出する指紋検出部と、あらかじめ複数の指紋データが、当該各指紋データに比べてデータ量がはるかに少ない識別コードによってそれぞれ識別可能に登録される指紋登録部と、前記指紋検出部が検出した指紋データを、前記指紋登録部に前記識別コードとともに登録してある登録指紋データと照合する指紋照合部と、前記指紋照合部が前記検出指紋データと前記登録指紋データのいずれか１つとの一致を確認したとき、解錠信号を出力してドアロックを解錠する錠前制御部と、ドアロックの解錠履歴を遡って検索できるように、前記指紋照合部が前記一致を確認したとき、当該一致した１つの登録指紋データの前記識別コードを保存する解錠履歴記憶部とを備えた構成としたので、出入口に設けられたドアロックを解錠するのに、従来のようなコピーされる虞のある鍵を使用せず、本人でなければ解錠することができないうえ、限られたメモリ容量にドアロックの解錠履歴を大量に保存することができ、したがって、ドアロックの解錠履歴を遡って検索することが可能であり、例えば、大勢の人が１日に何回もドアロックを解錠するような出入口に適用して、特定の時期に解錠したのが誰の指紋データであったのかを、過去に遡って確認することができる効果がある。
【図面の簡単な説明】
【図１】出入口の解錠システムの一実施の形態を示す構成図であり、（ａ）はドアの外側から見た構成図、（ｂ）はドアの端面から見た構成図、（ｃ）はドアの内側から見た構成図である。
【図２】出入口の解錠システムの一実施の形態を示すブロック図である。
【図３】操作ユニットの斜視説明図である。
【図４】図２のものの動作を示すフローチャートである。
【符号の説明】
１  出入口の解錠システム
１０  建物の出入口
１１  ドア
１２  外側
１３  内側
１５  ドアハンドル
２０  操作ユニット
２１  指紋入力部
２２  指紋検出部（指紋センサ）
２３  施錠スイッチ
２４  カバー
２５  指紋入力面
３０  制御ユニット
３１  指紋登録部
３２  指紋照合部
３３  錠前制御部
３４  解錠履歴記憶部
３５  解錠履歴検索部
３６  表示部
４０  錠前ユニット
４１  操作ノブ
【図１】
0003989674.tif 000002
【図２】
0003989674.tif 000003
【図３】
0003989674.tif 000004
【図４】
0003989674.tif 000005